(57)【要約】      （修正有）【課題】外観の意匠性、または識別性を向上させることができるチェーンを提供する。【解決手段】所定の第１の間隔をおいて対向する第１および第２の外リンクプレート２１、２１を有する外リンク２と、第１の間隔より狭い第２の間隔をおいて対向する第１および第２の内リンクプレート３１、３１を有する内リンク３とが交互にピン４で帯状に連結されてなる。第１の内リンクプレート３１の長手方向の外側面３０とピン４の第１の外リンクプレート２１から突き出た外端面４０とが同じ色、且つ第１の内リンクプレートの長手方向の外側面３０及びピン４の外リンクプレート２１から突き出た外端面４０が第１の外リンクプレート２１の長手方向の外側面２０と異なる色であるように構成されている。【選択図】図１
0003156733.tif 000002
【実用新案登録請求の範囲】
【請求項１】
所定の第１の間隔をおいて対向する第１および第２の外リンクプレートを有する外リンクと、前記第１の間隔より狭い第２の間隔をおいて対向する第１および第２の内リンクプレートを有する内リンクとが交互にピンで帯状に連結されてなるチェーンにおいて、
前記チェーンにおける少なくとも１つの前記第１の内リンクプレートの長手方向の外側面と前記第１の内リンクプレートに挿通した前記ピンの前記第１の外リンクプレートから突き出た外端面とが同じ色、且つ前記ピンに挿通された前記第１の外リンクプレートの長手方向の外側面に対して異なる色であるように構成されていることを特徴とするチェーン。
【請求項２】
前記第１の外リンクプレートの長手方向の外側面は、色を付けずに素地のままの色に保つことを特徴とする請求項１に記載のチェーン。
【請求項３】
前記第１の外リンクプレートの長手方向の外側面に、電気メッキ又は焼付け塗装のいずれかにより色を付けて第１の彩色層が形成されていることを特徴とする請求項１に記載のチェーン。
【請求項４】
前記第１の内リンクプレートの長手方向の外側面及び前記ピンの前記第１の外リンクプレートから突き出た外端面に、電気メッキ又は焼付け塗装のいずれかにより色を付けて第２の彩色層が形成されていることを特徴とする請求項２又は３に記載のチェーン。
【請求項５】
前記第１の内リンクプレートの長手方向の外側面及び前記ピンの前記第１の外リンクプレートから突き出た外端面は色を付けずに素地のままの色に保つことを特徴とする請求項３に記載のチェーン。
【請求項６】
さらに、前記ピンが挿通したローラを備えていることを特徴とする請求項１〜６のいずれかの一項に記載のチェーン。
【請求項７】
さらに、前記第２の内リンクプレートの長手方向の外側面と前記第２の内リンクプレートに挿通した前記ピンの前記第２の外リンクプレートから突き出た外端面とが同じ色、且つ前記ピンに挿通された前記第２の外リンクプレートの長手方向の外側面に対して異なる色であるように構成されていることを特徴とする請求項１に記載のチェーン。
【考案の詳細な説明】
【技術分野】
【０００１】
本考案は、チェーンに関し、より詳しくは、色彩を施し、該色彩の違いにより識別効果をもたらすことができるチェーンに関する。
【背景技術】
【０００２】
近年、例えば自転車は、環境に良く、経済的に移動できる交通手段として用いられている。その中で、乗り心地だけでなく機能に伴う美的外観により購買意欲を喚起させることができるように、意匠を凝らした個性的なデザインを備えたものの需要も生じている。
【考案の概要】
【考案が解決しようとする課題】
【０００３】
自転車において、例えばチェーンには伝動、または変速の機能が求められているが、チェーンの色は、黒色、灰色、または銀色などの用いた素材のままの色であり、単調で目立たない。現在、すでにカラー付チェーンの市販品が提供されているが、チェーン全体に一つの色を施したものが主流となり、購買意欲を喚起させるほどのデザイン性はない。
【０００４】
本考案は、チェーンに色彩を施し、該色彩の違いにより外観の意匠性、または識別性を向上させたチェーンを提供することを目的とする。
【課題を解決するための手段】
【０００５】
上記目的を達成するために、本考案は、所定の第１の間隔をおいて対向する第１および第２の外リンクプレートを有する外リンクと、前記第１の間隔より狭い第２の間隔をおいて対向する第１および第２の内リンクプレートを有する内リンクとが交互にピンで帯状に連結されてなるチェーンにおいて、前記チェーンにおける少なくとも１つの第１の内リンクプレートの長手方向の外側面と前記第１の内リンクプレートに挿通した前記ピンの前記第１の外リンクプレートから突き出た外端面とが同じ色、且つ該ピンに挿通された前記第１の外リンクプレートの長手方向の外側面に対して異なる色となるように構成されたことを特徴とするチェーンを提供する。
【０００６】
前記チェーンにおいて、一例としては、前記第１の外リンクプレートの長手方向の外側面は色を付けずに素地のままの色に保ち、前記第１の内リンクプレートの長手方向の外側面及び前記ピンの前記第１の外リンクプレートから突き出た外端面に、電気メッキ又は焼付け塗装のいずれかにより色を付けて、第２の彩色層を形成させることが好ましい。
【０００７】
前記チェーンにおいて、他の例としては、前記第１の外リンクプレートの長手方向の外側面に、電気メッキ又は焼付け塗装のいずれかにより色を付けて第１の彩色層を形成させ、前記第１の内リンクプレートの長手方向の外側面及び前記ピンの前記第１の外リンクプレートから突き出た外端面は、好ましくは、電気メッキ又は焼付け塗装のいずれかにより色を付けて第２の彩色層を形成し、又は、色を付けずに素地のままの色に保っている場合がある。
【０００８】
前記チェーンとして、前記ピンが挿通されたローラを備えたチェーンも適用可能とされる。
【０００９】
前記チェーンにおいて、さらに、前記第２の内リンクプレートの長手方向の外側面と前記第２の内リンクプレートに挿通した前記ピンの前記第２の外リンクプレートから突き出た外端面とが同じ色、且つ前記ピンに挿通された前記第２の外リンクプレートの長手方向の外側面に対して異なる色となるように構成されている場合がある。
【考案の効果】
【００１０】
本考案のチェーンは、内リンクプレートの長手方向の外側面と、ピンの外リンクプレートから突き出た外端面とが同じ色、且つ外リンクプレートの外側面とは異なる色を施したことにより、チェーンの外観の意匠性、または識別性を向上させることができる。
【図面の簡単な説明】
【００１１】
【図１】チェーンの一例を概略的に示す上面図である。
【図２】本考案の一の実施形態に係るチェーンの外側面を示す図である。
【考案を実施するための形態】
【００１２】
本考案の一の実施形態を添付図面に基づいて以下に説明する。
【００１３】
図１は、チェーン１の一例を概略的に示す上面図である。図１に示すように、チェーン１は、所定の第１の間隔をおいて対向する第１および第２の外リンクプレート２１を有する外リンク２と、前記第１の間隔より狭い第２の間隔をおいて対向する第１および第２の内リンクプレート３１を有する内リンク３とが交互にピン４で帯状に連結されてなる構成とする。この構成は、従来の自転車用のチェーンと同様の構成を有するので、詳細な説明を省略する。また、ピンが挿通されたローラを介して内リンクと外リンクとが交互に連結されたチェーンであっても良い。
【００１４】
このチェーン１は、該チェーンにおける少なくとも１つの第１の内リンクプレート３１の長手方向の外側面３０及び該第１の内リンクプレート３１に挿通されたピン４の外リンクプレート２１から突き出た外端面４０が同じ色、且つ該ピンに挿通された第１の外リンクプレート２１の長手方向の外側面２０と異なる色となるように構成されている。なお、ここでいう外側面とは、図２のように、例えば自転車フレーム（図示せず）から遠い面である。なお、この例では、チェーンとしては、リンクプレート、ローラ、またはピンなどを有する構成の自転車用チェーンを挙げたが、チェーンの外観に意匠性、または識別性が向上するように内リンクプレートの外側面と外リンクプレートの外側面の色が異なる色であるように形成できれば、チェーンの構成はこれに制限されない。
【実施例１】
【００１５】
このチェーン１は、図１に示すように、外リンクプレート２１の長手方向の外側面２０に、電気メッキ又は焼付け塗装のいずれかにより、例えば緑色等の色彩を施した第１の彩色層２０１が形成された場合とする。
【００１６】
内リンクプレート３１の外側面３０とピン４の外リンクプレート２１から突き出た外端面４０とは、電気メッキ又は焼付け塗装のいずれかにより同じ色、且つ外リンクプレート２１の外側面２０に形成された第１の彩色部２０１の色と異なる色、例えば赤色の色彩を施した第２の彩色部５０１が形成されている。
【００１７】
このように、第１の彩色部２０１と第２の彩色部５０１とが異なる色に形成されることにより、チェーン１の外観の意匠性、または識別性を向上させることができる。
【実施例２】
【００１８】
このチェーン１は、外リンクプレート２１の長手方向の外側面２０は、色彩を施さずに素地のままの色、例えば黒色、灰色、または銀色等に保っている例を挙げて説明する。
【００１９】
外リンクプレート２１の外側面２０に色彩を施さないのに対して、内リンクプレート３０の長手方向の外側面３０及びピン４の外リンクプレート２１から突き出た外端面４０に、電気メッキ又は焼付け塗装のいずれかにより、例えば緑色または赤色等の色彩を施した彩色層が形成されている。
【００２０】
このように、内リンクプレート３１の外側面３０とピン４の外リンクプレートから突き出た外端面４０とは同じ色、且つ外リンクプレート２１の外側面２０と異なる色に形成することにより、チェーン１の外観の意匠性、または識別性を向上させることができる。
【実施例３】
【００２１】
このチェーン１は、外リンクプレート２１の長手方向の外側面２０に、電気メッキ又は焼付け塗装のいずれかにより、例えば緑色又は赤色の色彩を施した彩色層が形成された例を挙げて説明する。
【００２２】
外リンクプレート２１の外側面２０に色彩を施すのに対して、内リンクプレート３１の長手方向の外側面３０及びピン４の外リンクプレート２１から突き出た外端面４０は、色彩を施さずに例えば黒色、灰色、または銀色などの素地のままの色に保つように形成されている。
【００２３】
このように、内リンクプレート３１の外側面３０とピン４の外リンクプレートから突き出た外端面４０とは同じ色、且つ外リンクプレート２１の外側面２０に形成された彩色層の色と異なる色に形成されることにより、チェーン１の外観の意匠性、または識別性を向上させることができる。
【００２４】
なお、本考案のチェーンは上記実施例に限定されるものではない。
【００２５】
例えば、内リンクプレート３１の外側面３０及びピン４の外リンクプレート２１から突き出た外端面４０は同じ色、且つ外リンクプレート２１の外側面２０と異なる色に形成されればよく、上記挙げられた例による着色方法に限定されない。
【００２６】
また、プレート２１、３１における自転車フレームから遠いプレートを第１の内リンクプレート２１と第１の外リンクプレート３１として、それぞれの外側面２０又は／及び３０のみに色彩を施してもよいが、自転車フレームに近いプレートを第２の内リンクプレートと第２の外リンクプレートとして、それぞれの外側面に対しても色彩を施してもよく、また、両方の外側面に対して色彩を施してもよい。プレート２１、３１における自転車フレームに近いプレートの外側面と遠いプレートの外側面とに対して施した色彩は同一であってもよく、異なってもよい。
【００２７】
また、内リンクプレート３１の外側面３０及びピン４の外リンクプレート２１から突き出た外端面４０は同じ色、且つ外リンクプレート２１の色彩を施した外側面２０の色に対して異なる色に形成されるように、チェーン１の全体に対して色彩を施してもよく、チェーン１の一部だけに対して色彩を施してもよい。
【００２８】
以上により、第１の彩色部に対して第２の彩色部を異なるように形成した本考案のチェーンによれば、チェーンの外観の意匠性、または識別性を向上させることができる。
【符号の説明】
【００２９】
１  チェーン
２  外リンク
３  内リンク
４  ピン
１１  ローラ
２０  外側面
２１  外リンクプレート
３０  外側面
３１  内リンクプレート
４０  外端面
２０１  第１の彩色部
５０１  第２の彩色部
【図１】
0003156733.tif 000003
【図２】
0003156733.tif 000004